(57)【要約】【課題】安全性、利便性、および保守性をより向上させた消火器箱を提供する。【解決手段】監視員通路を設けた道路に設置される消火器箱であって、前記消火器箱は、前記監視員通路と前記道路との境に、車両の移動方向と略平行方向に設置され、前記監視員通路面上に、扉を有し、前記扉の内側には、消火器を固定する固定金具が設けられ、前記扉と固定された前記消火器とを一体に回動させて、当該消火器を立位状態で固定すると共に、取り出し可能とすること、を特徴とする消火器箱が提供される。【選択図】図２
2018114137.tif 000002
【特許請求の範囲】
【請求項１】
監視員通路を設けた道路に設置される消火器箱であって、
前記消火器箱は、前記監視員通路と前記道路との境に、車両の移動方向と略平行方向に設置され、
前記監視員通路面上に、扉を有し、
前記扉の内側には、消火器を固定する固定金具が設けられ、
前記扉と固定された前記消火器とを一体に回動させて、当該消火器を立位状態で固定すると共に、取り出し可能とすること、
を特徴とする消火器箱。
【請求項２】
前記扉は、前記消火器の取り出しを補助する切欠き形状板を有し、
前記切欠き形状板は、前記扉の内側において前記消火器の底面側に配置される、
請求項１に記載の消火器箱。
【請求項３】
前記扉は、扉軸を支点に回動し、
前記扉軸は、前記扉の長手方向において、前記扉が有する取っ手と前記消火器の底面との間に位置するように設けられる、
請求項１または２に記載の消火器箱。
【請求項４】
前記扉は、扉開固定具を有し、
前記扉開固定具は、前記消火器箱の内部に設けられた凹部を有する扉開固定レール上を前記扉の回動に伴い移動し、前記扉開固定レールの前記凹部により係止されることで、前記扉が閉扉しないように前記扉を支持する、
請求項１〜３のいずれかに記載の消火器箱。
【請求項５】
前記扉開固定具は、折畳み用凸部を有し、
前記折畳み用凸部は、前記扉の内側に設けられるキャッチ部と嵌合することで、前記扉開固定レールと接触しないように前記扉開固定具を固定する、
請求項４に記載の消火器箱。
【請求項６】
前記消火器箱は、前記扉の閉扉に伴い前記扉開固定具と接触することで、前記折畳み用凸部と前記キャッチ部との嵌合を解除する折畳み解除部、を有する、
請求項５に記載の消火器箱。
【発明の詳細な説明】
【技術分野】
【０００１】
本発明は、消火器箱に関する。
【背景技術】
【０００２】
近年、火災から人身や車両を守るための消防用設備が普及している。また、上記のような消防用設備の安全性、利便性を向上させるための手法が多く提案されている。
【０００３】
例えば、特許文献１には、道路トンネルにおいて、監視員通路の下部に消火栓や消火器箱を格納することで、監視員通路における避難経路を確保する構成が開示されている。また、特許文献２および特許文献３には、消火器箱の扉内側に消火器を固定することで、当該扉の回動と共に消火器を引き出す構成が開示されている。
【先行技術文献】
【特許文献】
【０００４】
【特許文献１】特開２００１−９０５３号公報
【特許文献２】登録実用新案第３０６３７１２号公報
【特許文献３】実開平５−３９５５７号公報
【発明の概要】
【発明が解決しようとする課題】
【０００５】
しかし、特許文献１に記載の消火器箱は、扉が道路側にのみ開扉する構成であり、特許文献２および特許文献３に記載の消火器箱は、扉の閉塞時に直立した状態で固定される消火器を、当該扉の回動と共に手前に引き出す構成である。このため、特許文献１〜３に記載の消火器箱では、ユーザが監視員通路上および道路上の両方から消火器を取り出すことが困難である。また、特許文献１〜３に記載の消火器箱は、扉が道路側に突出して開扉することから、道路を走行する車両を妨害するなどの可能性も懸念される。
【０００６】
そこで、本発明は、上記問題に鑑みてなされたものであり、本発明の目的とするところは、安全性、利便性、および保守性をより向上させることが可能な、新規かつ改良された消火器箱を提供することにある。
【課題を解決するための手段】
【０００７】
上記課題を解決するために、本発明のある観点によれば、監視員通路を設けた道路に設置される消火器箱であって、前記消火器箱は、前記監視員通路と前記道路との境に、車両の移動方向と略平行方向に設置され、前記監視員通路面上に、扉を有し、前記扉の内側には、消火器を固定する固定金具が設けられ、前記扉と固定された前記消火器とを一体に回動させて、当該消火器を立位状態で固定すると共に、取り出し可能とすること、を特徴とする消火器箱が提供される。
【０００８】
前記扉は、前記消火器の取り出しを補助する切欠き形状板を有し、前記切欠き形状板は、前記扉の内側において前記消火器の底面側に配置されてもよい。
【０００９】
前記扉は、扉軸を支点に回動し、前記扉軸は、前記扉の長手方向において、前記扉が有する取っ手と前記消火器の底面との間に位置するように設けられてもよい。
【００１０】
前記扉は、扉開固定具を有し、前記扉開固定具は、前記消火器箱の内部に設けられた凹部を有する扉開固定レール上を前記扉の回動に伴い移動し、前記扉開固定レールの前記凹部により係止されることで、前記扉が閉扉しないように前記扉を支持してもよい。
【００１１】
前記扉開固定具は、折畳み用凸部を有し、前記折畳み用凸部は、前記扉の内側に設けられるキャッチ部と嵌合することで、前記扉開固定レールと接触しないように前記扉開固定具を固定してもよい。
【００１２】
前記消火器箱は、前記扉の閉扉に伴い前記扉開固定具と接触することで、前記折畳み用凸部と前記キャッチ部との嵌合を解除する折畳み解除部、を有してもよい。
【発明の効果】
【００１３】
以上説明したように本発明によれば、消火器箱の安全性、利便性、および保守性をより向上させることが可能となる。
【図面の簡単な説明】
【００１４】
【図１】本発明の一実施形態に係る道路トンネルに設置される消火器箱を側面から示した図である。
【図２】同実施形態に係る消火器箱の設置例を道路側から示した図である。
【図３】同実施形態に係る消火器箱の外部構造について説明するための図である。
【図４】同実施形態に係る扉の開扉時における消火器箱の外部構造を示す図である。
【図５】同実施形態に係る消火器箱の内部構造を道路側の側面から示した図である。
【図６】同実施形態に係る消火器箱の内部構造を、収納される消火器の底部側の側面から示した図である。
【図７】同実施形態に係る消火器箱の内部構造を底面から示した図である。
【図８】同実施形態に係る扉の開扉時における消火器箱の内部構造の動作について説明するための図である。
【図９】同実施形態に係る同実施形態に係る扉の開扉時における消火器箱の内部構造の動作について説明するための図である。
【図１０】同実施形態に係る同実施形態に係る扉の開扉時における消火器箱の内部構造の動作について説明するための図である。
【図１１】同実施形態に係る扉の閉扉時における消火器箱の内部構造の動作について説明するための図である。
【図１２】同実施形態に係る扉の閉扉時における消火器箱の内部構造の動作について説明するための図である。
【図１３】同実施形態に係る扉の閉扉時における消火器箱の内部構造の動作について説明するための図である。
【図１４】同実施形態に係る扉の閉扉時における消火器箱の内部構造の動作について説明するための図である。
【図１５】監視員通路を設けた道路に設置される従来の消火器箱について説明するための図である。
【発明を実施するための形態】
【００１５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１６】
＜１．実施形態＞
＜＜１．１．実施形態の概要＞＞
はじめに、本発明の一実施形態に係る消火器箱の概要について説明する。上述したとおり、本実施形態に係る消火器箱は、監視員通路を設けた道路に設置される従来の消火器箱と比較して優れた安全性、利便性、および保守性を有する。本実施形態に係る消火器箱が有する上記の有意性を説明するために、まず、本実施形態に係る消火器箱と従来の消火器箱との比較について述べる。
【００１７】
図１５は、監視員通路を設けた道路に設置される従来の消火器箱について説明するための図である。なお、上記の監視員通路を設けた道路には、例えば、道路トンネルなどが含まれてよい。図１５には、道路トンネル内に設置される従来の消火器箱９０、従来の消火器箱に格納される消火器３０、および防護柵７０が示されている。
【００１８】
ここで、監視員通路ｐｗは、監視員による保守作業や災害時における避難経路として用いられる通路である。また、従来の消火器箱９０は、奥行に厚みを有する四角形型の形状を有し、手前に扉を開き消火器３０を取り出す構造のため、保管時に監視員通路ｐｗにおける避難行動や保守作業の妨げとならないように、トンネル内壁ｉｗに形成される箱抜き内に設置されることが一般的であった。
【００１９】
しかし、監視員通路ｐｗは、一般的に道路ｒｗから９００〜１０００ｍｍほどの高さを以って設けられる通路である。このため、ユーザは、道路ｒｗ上から消火器箱９０を操作することができず、通報や消火活動を行うためには、道路ｒｗから監視員通路ｐｗに登る必要があり、煩雑であると同時に消火活動が遅れる可能性も懸念される。
【００２０】
また、上述した特許文献１に開示されるように、消火器箱が監視員通路ｐｗの下部に配置される場合には、ユーザは基本的に道路ｒｗ上で操作を行うことを求められる。このため、ユーザが自身の安全を確保したうえでの消火活動を行うことが困難である。また、仮に、監視員通路ｐｗ上から消火器を取り出そうとする場合、上方から覗きこんで操作を行うこととなるため、落下の可能性なども懸念される。さらには、開扉した扉が走行車両の妨げとなるなどの可能性も想定される。
【００２１】
本実施形態に係る消火器箱は上記の点に着目して発想されたものであり、道路側および監視員通路側の両方から消火器を取り出すこと、また、扉の開放時においても道路および監視員通路の両面の安全性を確保することを可能とする。このために、本実施形態に係る消火器箱は、監視員通路と道路との境に、車両の移動方向と略平行方向に設置されることを特徴の一つとする。また、本実施形態に係る消火器箱は、監視員通路面上に、内側に消火器を固定する固定金具が設けた扉を有し、扉と固定された前記消火器とを一体に回動させて、当該消火器を立位状態で固定すると共に、取り出し可能とすること、を特徴の一つとする。本実施形態に係る道路用消火栓が有する上記の機能によれば、消火器の取り出し時における安全性や利便性を大きく向上させることが可能となる。
【００２２】
＜＜１．２．消火器箱１０に係る設置上の特徴＞＞
次に、本実施形態の消火器箱１０に係る設置上の特徴について説明する。図１は、道路トンネルに設置される消火器箱１０を側面から示した図である。図１に示すように、本実施形態に係る消火器箱１０は、監視員通路ｐｗと道路ｒｗとの境において、監視員通路ｐｗの下部に埋設されてよい。本実施形態に係る消火器箱１０が上記のように設置されることにより、トンネル内壁ｉｗに箱抜きを形成するコストを削減することができ、また、監視員通路ｐｗ上の空間を十分に確保し、消火活動や避難活動を妨害する恐れを解消することができる。
【００２３】
また、図１には、本実施形態に係る消火器箱１０と併設される道路用消火栓５０と防護柵７０とが併せて示されている。ここで、本実施形態に係る道路用消火栓５０は、別途に設置される消火栓弁機構と接続され、ユーザによる操作に基づいて、消火用水や泡消火薬剤を放出するノズルやホースを備える構成である。この際、本実施形態に係る道路用消火栓５０は、消火器箱１０と同様に監視員通路ｐｗと道路ｒｗとの境に設置され、また上記のホースを収納するホース収納部５５０が監視員通路ｐｗの下部に配置されることで、監視員通路ｐｗ上の空間を確保することができる。また、本実施形態に係る道路用消火栓５０は、図１に示すように、道路ｒｗ上で発生した火災を検知するための火災検知器５１０や赤色表示灯５０５を道路ｒｗ側に備えてもよい。
【００２４】
また、本実施形態に係る防護柵７０は、監視員通路ｐｗ上における避難活動、消火活動、および保守作業時の安全性を向上させるための構成である。すなわち、防護柵７０は、避難者や作業者が監視員通路ｐｗから道路ｒｗに落下することを防ぐ役割を担う。この際、本実施形態に係る消火器箱１０は、図１に示すように、規定により設置される防護柵７０の下方に設置されることで、監視員通路ｐｗ上の限られたスペースを有効に活用することができる。
【００２５】
続いて、道路ｒｗ側からみた消火器箱１０の設置例について説明する。図２は、本実施形態に係る消火器箱１０の設置例を道路ｒｗ側から示した図である。図２に示すように、本実施形態に係る消火器箱１０は、防護柵７０の下方に複数並列して設置されてもよい。図２の一例では、２つの消火器箱１０ａおよび２０ｂが長手方向に併設される場合が示されている。
【００２６】
また、本実施形態に係る消火器箱１０は、監視員通路ｐｗと道路ｒｗとの境に、車両（図示しない）の移動方向と略平行方向に設置されることを特徴の一つとする。本実施形態に係る消火器箱１０が上記のように設置されることで、監視員通路ｐｗ上の空間を十分に確保することが可能となる。
【００２７】
また、本実施形態に係る消火器箱１０は、図２に示すように、監視員通路ｐｗ面上に扉１１０を有してよい。本実施形態に係る消火器箱１０は、扉１１０と固定された消火器３０とを一体に回動させることで、消火器３０を立位状態で固定すると共に、取り出し可能とする。本実施形態に係る消火器箱１０が有する上記の特徴によれば、消火器３０を道路ｒｗおよび監視員通路ｐｗの両方から取り出すことが可能となり、道路ｒｗ側からの迅速な消火活動や、監視員通路ｐｗに避難し安全性を確保したうえでの消火活動を実現することができる。また、消火器箱１０の保守作業時においても、監視員通路ｐｗ上から点検などを行うことが可能となり、道路ｒｗの一部を閉鎖することなく、保守作業を完遂することができる。
【００２８】
なお、本実施形態に係る道路用消火栓５０も消火器箱１０と同様に、道路ｒｗおよび監視員通路ｐｗの両方から操作可能に構成されてよい。このために、本実施形態に係る道路用消火栓５０は、装置筐体の内部にアクセスするための扉５０１や、赤色表示灯５０５、押しボタン式通報機５０６、応答ランプ５０７などを、道路ｒｗ側のみではなく監視員通路ｐｗ側にも備えてよい。
【００２９】
以上、本実施形態の消火器箱１０に係る設置上の特徴について述べた。上述したように、本実施形態に係る消火器箱１０は、監視員通路ｐｗと道路ｒｗとの境に、車両の移動方向と略平行方向に設置される。また、本実施形態に係る消火器箱１０は、監視員通路ｒｗ面上に扉１１０を有し、扉１１０を開扉することにより、扉１１０の内側に固定された消火器３０を立位状態で固定することができる。本実施形態に係る消火器箱１０が有する上記の特徴によれば、消火器３０を監視員通路ｐｗおよび道路ｒｗの両方から容易に取り出し可能とすると共に、監視員通路ｐｗ上の空間を十分に確保することが可能となり、安全性、利便性、および保守性を著しく向上させることができる。
【００３０】
＜＜１．３．消火器箱１０の外部構造＞＞
次に、本実施形態に係る消火器箱１０の外部構造について詳細に説明する。図３は、本実施形態に係る消火器箱１０の外部構造について説明するための図である。図３の左側には、本実施形態に係る消火器箱１０の側面を、収納される消火器３０の底部側からみた外部構造が示されている。また、図３の右側上段には、本実施形態に係る消火器箱１０を上面から見た外部構造が示されている。また、図３の右側中段には、本実施形態に係る消火器箱１０の側面を道路ｒｗ側からみた外部構造が示されている。また、図３の右側下段には、本実施形態に係る消火器箱１０を底面から見た外部構造が示されている。
【００３１】
図３を参照すると、本実施形態に係る消火器箱１０は、上部に扉１１０を備える。また、扉１１０には、ユーザが扉１１０を開扉するための取っ手１１２や、回動時の支点となる扉軸１１４が設けられる。なお、本実施形態に係る扉軸１１４は、外観からは視認できないように形成されてもよい。
【００３２】
また、本実施形態に係る消火器箱１０は、下部に架台１２０を備える。図３に示すように、本実施形態に係る架台１２０は、複数の水抜き穴１２２ａ〜１２２ｅを有してよい。水抜き穴１２２は、消火器箱１０の内部に雨水などが溜まらないよう、液体を外部に排出する機構である。なお、図３には、架台１２０に５つの水抜き穴１２２ａ〜１２２ｅが形成される場合を例に示しているが、本実施形態に係る水抜き穴１２２の数は係る例に限定されず、適宜設計されてよい。
【００３３】
続いて、図４を参照して、扉１１０の開扉時における消火器箱１０の外観について説明する。図４は、扉１１０の開扉時における消火器箱１０の外部構造を示す図である。上述したとおり、本実施形態に係る扉１１０は、内側に固定される消火器３０と一体に回動することを特徴の一つとする。この際、本実施形態に係る扉１１０は、図４に示すように、扉軸１１４を支点に回動し、９０°程度開扉することで、消火器３０を立位状態で固定することができる。
【００３４】
ここで、本実施形態に係る扉軸１１４は、扉１１０の長手方向において、取っ手１１２と消火器３０の底面との間に位置するように設けられることを特徴の一つとする。このように、扉軸１１４が消火器３０の底面よりも取っ手１１２側に配置されることで、消火器３０による荷重を分散させ、扉１１０の開扉に求められる力を効果的に低減することができる。
【００３５】
また、扉軸１１４が有する上記の配置特徴によれば、扉１１０の全開時に立位状態となる消火器３０の道路ｒｗ面からの高さを調整することが可能となり、道路ｒｗ側および監視員通路ｐｗ側の両方から取り出しが容易い構成を実現することができる。なお、本実施形態に係る扉軸１１４の配置位置は、監視員通路ｐｗの高さや、消火器３０の重量や寸法などに応じて適宜調整されてよい。
【００３６】
＜＜１．４．消火器箱１０の内部構造＞＞
次に、本実施形態に係る消火器箱１０の内部構造について詳細に説明する。図５は、本実施形態に係る消火器箱１０の内部構造を道路ｒｗ側の側面から示した図である。また、図６は、本実施形態に係る消火器箱１０の内部構造を、収納される消火器３０の底部側の側面から示した図である。また、図７は、本実施形態に係る消火器箱１０の内部構造を底面から示した図である。
【００３７】
図５および図６に示すように、本実施形態に係る消火器箱１０の扉１１０の内側には、消火器３０の底面を支持する切欠き形状板１３０、消火器３０の側面を支持する支持板１３２、および消火器３０を扉１１０に固定する複数の固定金具１３４ａ〜ｄが設けられる。
【００３８】
ここで、本実施形態に係る切欠き形状板１３０は、消火器３０の底部側に配置され、扉１１０の全開時に、直立した消火器３０の底面を固定金具１３４ａ〜ｄと共に支持する。また、本実施形態に係る切欠き形状板１３０は、図６に示すように、道路ｐｗ側から消火器３０の底部中央付近にかかる切欠き１３１を有する。切欠き形状板１３０に切欠き１３１を設けたことにより、ユーザが消火器３０の底部に手を差し込み、消火器３０を底部から支えた状態で安定的に取り出すことが可能となり、特に道路ｒｗ側から消火器３０を取り出す際のユーザの負担を軽減することができる。
【００３９】
また、図５に示すように、本実施形態に係る切欠き形状板１３０の底部側には、扉開固定具１４０およびキャッチ部１４４が配置される。ここで、本実施形態に係る扉開固定具１４０は、消火器箱１０の内部に設けられた複数の凹部１５２を有する扉開固定レール１５０上を扉１１０の回動に伴い移動し、凹部１５２に係止されることで、扉１１０が閉扉しないように支持する構成である。なお、本実施形態に係る扉開固定レール１５０は、図５に示すように、消火器箱１０の内部において、消火器３０の底部側の内部側面から内部底面にかけて連続的に配置される。
【００４０】
また、図５に示すように、本実施形態に係る扉開固定具１４０は、切欠き形状板１３０側に折畳み用凸部１４２を有する。本実施形態に係る折畳み用凸部１４２は、切欠き形状板１３０に設けられるキャッチ部１４４と嵌合することで、扉開固定レール１５０と接触しないように扉開固定具１４０を固定する構成である。本実施形態に係る折畳み用凸部１４２およびキャッチ部１４４によれば、扉開固定具１４０を切欠き形状板１３０側に折り畳むことで、扉開固定具１４０による扉１１０の支持を解除することができる。なお、本実施形態に係る折畳み用凸部１４２およびキャッチ部１４４は、図５に示す形状に限定されず、また、例えば、マグネットなどの別の固定機構により代替されてもよい。
【００４１】
また、本実施形態に係る消火器箱１０の内側には、扉１１０の閉扉に伴い扉開固定具１５０と接触することで、折畳み用凸部１４２とキャッチ部１４４との嵌合を解除する折畳み解除部１５４が備えられる。本実施形態に係る折畳み用凸部１４２は、図５および図６に示すように、収納される消火器３０の底部側の内部側面に配置される。なお、本実施形態に係る扉開固定具１４０、扉開固定レール１５０、折畳み解除部１５４などが有する機能の詳細については別途後述する。
【００４２】
また、本実施形態に係る消火器箱１０の内部底面には、図５〜図７に示すように、扉１１０の閉塞時に消火器３０を支持するための支持台１６０が設けられる。また、消火器箱１０の内部底面には、図７に示すように、上述した複数の水抜き穴１２２ａ〜１２２ｅが形成される。
【００４３】
また、本実施形態に係る消火器箱１０の内側には、図７に示すように、扉全開固定金物１６２ａおよび１６２ｂが設けられる。扉全開固定金物１６２ａおよび１６２ｂは、扉１１０の開扉が９０°程度で停止するように扉１１０の動作を制限する構成であってよい。
【００４４】
以上、本実施形態に係る消火器箱１０が備える内部構造について説明した。続いて、図８〜図１０を参照して、本実施形態に係る扉１１０の開扉時における消火器箱１０の内部構造の動作について説明する。図８〜図１０は、扉１１０の開扉時における消火器箱１０の内部構造の動作について説明するための図である。
【００４５】
上述したように、本実施形態に係る扉開固定具１４０は、扉開固定レール１５０上を扉１１０の開扉に伴い移動し、凹部１５２により係止されることで、扉１１０が閉扉しないように支持する構成である。ここで、図８を参照すると、扉開固定具１４０は、扉１１０の開扉に伴い、図５に示した状態と比較して、より下部に配置される凹部１５２に移動していることがわかる。また、扉１１０の開扉がさらに進んだ状態を示す図９では、扉開固定具１４０は、図８に示す状態と比較してさらに移動し、底部側に配置される凹部１５２まで移動している。
【００４６】
また、扉１１０の全開状態を示す図１０では、扉開固定具１４０は、支持台１６０に隣接する凹部１５２に移動し、扉１１０と共に立位状態にある消火器３０を支持している。
【００４７】
このように、本実施形態に係る扉開固定具１４０は、ユーザが誤って取っ手１１２から手を放すなど、扉１１０が自重により閉扉しようとする場合においても、扉開固定レール１５０の凹部１５２に係止されることで、扉１１０が閉扉しないよう、扉１１０を支持することができる。
【００４８】
本実施形態に係る扉開固定具１４０および扉開固定レール１５０が有する上記の特徴によれば、突発的に扉１１０が閉扉することを防止することができ、消火器３０の取り出し時や保守作業時における安全性や利便性を大きく向上させることができる。
【００４９】
続いて、図１１〜図１４を参照して、本実施形態に係る扉１１０の閉扉時における消火器箱１０の内部構造の動作について説明する。図１１〜図１４は、扉１１０の閉扉時における消火器箱１０の内部構造の動作について説明するための図である。
【００５０】
扉１１０の閉扉時においては、まず、扉開固定レール１５０の凹部１５２による扉開固定具１４０の係止状態を解除することが求められる。このため、扉１１０を閉扉する際には、図１１に示すように、扉開固定具１４０を切欠き形状板１３０側に折り畳む動作を行う。この際、ユーザは、取っ手１１２を若干開方向に持ち上げながら上記の動作を行うことで、扉開固定具１４０を凹部１５２による係止から開放することができる。
【００５１】
この際、ユーザは、扉開固定具１４０に設けられる折畳み用凸部１４２が、切欠き形状板１３０の底部に設けられるキャッチ部１４４に嵌合されるまで、扉開固定具１４０の折畳みを続行する。
【００５２】
折畳み用凸部１４２がキャッチ部１４４と嵌合すると、扉開固定具１４０が切欠き形状板１３０に固定され、図１２に示すように、扉開固定具１４０が扉開固定レール１５０と接触しない状態で扉１１０を閉扉することが可能となる。
【００５３】
図１２に示す状態からさらに扉１１０の閉扉が続行されると、図１３に示すように、切欠き形状板１３０に固定される扉開固定具１４０は、消火器箱１０の内部に設けられる折畳み解除部１５４と接触する。
【００５４】
ここで、図１３に示す状態からさらに扉１１０の閉扉が続行される場合、図１４に示すように、折畳み解除部１５４が、扉開固定具１４０の進行方向を妨げることで、扉開固定具１４０の折畳み用凸部１４２とキャッチ部１４４との嵌合が解除され、消火器箱１０は、図５に示す閉塞状態に復帰する。
【００５５】
本実施形態に係る折畳み用凸部１４２、キャッチ部１４４、および折畳み解除部１５４が有する上記の特徴によれば、扉１１０の閉扉により、扉開固定具１４０の折畳み状態を解除することが可能となり、再度、扉１１０の開扉される場合であっても、扉開固定具１４０が扉１１０の突発的な閉扉を防止することができる。また、本実施形態に係る扉１１０は、扉開固定具１４０の折畳み状態が解除されない場合には、完全に閉扉できないため、保守員などは、扉１１０が完全に閉扉できるか否かを以って、折畳み用凸部１４２、キャッチ部１４４、および折畳み解除部１５４などの構造に係る良否確認（点検）を行うことができる。
【００５６】
＜＜１．５．消火器箱１０の使用手順＞＞
次に、本実施形態に係る消火器箱１０の使用手順について説明する。
【００５７】
（道路ｒｗ側から消火器を取り出す場合）
まず、道路ｒｗ側から消火器３０を取り出す場合における消火器箱１０の使用手順について述べる。道路ｒｗ側から消火器３０を取り出す場合、まず、ユーザは、取っ手１１２を掴み、扉１１０が９０°程度開扉するまで、扉１１０を引き上げる動作を行う。この際、扉１１０が、内側に固定される消火器３０と一体に回動することで、消火器３０が立位状態で固定される。
【００５８】
また、上述したように、上記の開扉動作中においては、扉開固定具１４０が、扉開固定レール１５０上を滑りながら移動する。このため、誤操作などにより扉１１０が閉扉動作に移行しようとする場合であっても、扉開固定具１４０が扉開固定レール１５０の凹部１５２に係止されることで、扉１１０の開扉状態を維持することができる。
【００５９】
扉１１０が９０°程度開扉し、消火器３０が立位状態で固定されると、続いて、ユーザは、片手で消火器３０のハンドルを持ち、もう一方の手で消火器３０の底部を支えながら消火器３０を消火器箱から取り出す。この際、本実施形態に係る消火器箱１０には、切欠き形状板１３０が設けられることで、ユーザが消火器３０の底部に手を差し込み、消火器３０を底部から支えた状態で安定的に取り出すことを可能とする。
【００６０】
（監視員通路ｐｗ側から消火器を取り出す場合）
次に、監視員通路ｐｗ側から消火器３０を取り出す場合における消火器箱１０の使用手順について述べる。監視員通路ｐｗ側から消火器３０を取り出す場合、ユーザは、上述の場合と同様に、取っ手１１２を掴み、扉１１０が９０°程度開扉するまで、扉１１０を引き上げる動作を行う。この際、本実施形態に係る扉１１０は、監視員通路ｐｗの上方に向けて開扉するように設けられるため、ユーザは、道路ｐｗ側を覗き込んで操作を行う必要がなく、落下などの二次災害を防ぐことができる。
【００６１】
また、監視員通路ｐｗ側から消火器を取り出す場合においても、本実施形態に係る扉開固定具１４０および扉開固定レール１５０が扉１１０の突発的な閉扉を防ぐ機構が働くため、ユーザは、監視員通路ｐｗ上で安全に作業を行うことができる。
【００６２】
扉１１０が９０°程度開扉し、消火器３０が立位状態で固定されると、続いて、ユーザは、両手で消火器３０のハンドルを持ち、消火器３０を消火器箱１０から取り出すことができる。
【００６３】
（扉１１０の閉扉を行う場合）
次に、道路ｒｗ側または監視員通路ｐｗ側から扉１１０の閉扉を行う場合の手順について述べる。扉１１０の閉扉を行う場合、ユーザは、まず、取っ手１１２を若干開方向に持ち上げながら、扉開固定具１４０を切欠き形状板１３０側に折り畳む動作を行う。なお、上記の折畳み動作は、別途に用意される治具などを用いて行われてもよい。
【００６４】
ユーザが上記の動作を行うことで、扉開固定具１４０に設けられる折畳み用凸部１４２が、切欠き形状板１３０の底部に設けられるキャッチ部１４４と嵌合し、扉開固定具１４０が切欠き形状板１３０に固定される。
【００６５】
続いて、ユーザは、扉開固定具１４０が切欠き形状板１３０に固定されたことを確認したうえで、扉１１０の閉扉動作を続行する。この際、扉開固定具１４０は、扉開固定レール１５０と接触しない状態で扉１１０と共に回動する。
【００６６】
また、扉１１０が完全な閉塞状態となる前には、折畳み解除部１５４が扉開固定具１４０と接触することで、折畳み用凸部１４２とキャッチ部１４４との嵌合を解除され、扉開固定具１４０による扉１１０の閉扉防止機能が待機状態に復帰する。
【００６７】
＜２．まとめ＞
以上説明したように、本発明に係る消火器箱１０は、道路ｒｗ側および監視員通路ｐｗ側の両方から消火器３０を取り出すこと、また、扉の開放時においても道路ｒｗおよび監視員通路ｐｗの両面の安全性を確保することを可能とする。このために、本実施形態に係る消火器箱１０は、監視員通路ｐｗと道路ｒｗとの境に、車両の移動方向と略平行方向に設置される。また、本実施形態に係る消火器箱１０は、監視員通路ｐｗ面上に、消火器３０と一体に回動する扉１１０を有する。係る構成によれば、安全性、利便性、および保守性をより向上させた消火器箱を提供することが可能となる。
【００６８】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００６９】
１０      消火器箱
１１０    扉
１１２    取っ手
１１４    扉軸
１３０    切欠き形状板
１３４    固定金具
１４０    扉開固定具
１４２    折畳み用凸部
１４４    キャッチ部
１５０    扉開固定レール
１５２    凹部
１５４    折畳み解除部
３０      消火器
ｒｗ      道路
ｐｗ      監視員通路
【図１】
2018114137.tif 000003
【図２】
2018114137.tif 000004
【図３】
2018114137.tif 000005
【図４】
2018114137.tif 000006
【図５】
2018114137.tif 000007
【図６】
2018114137.tif 000008
【図７】
2018114137.tif 000009
【図８】
2018114137.tif 000010
【図９】
2018114137.tif 000011
【図１０】
2018114137.tif 000012
【図１１】
2018114137.tif 000013
【図１２】
2018114137.tif 000014
【図１３】
2018114137.tif 000015
【図１４】
2018114137.tif 000016
【図１５】
2018114137.tif 000017